(57)【要約】【課題】安全弁、流動弁および排水ポートとしての３つの機能を備えた弁装置を提供する。【解決手段】入力ポート４３、出力ポート４４および内部流路４５を設けたボディ４２の内部に弁座４９を配置し、弁体５８とスプリング受け６０との間にスプリング６１を介装してなる弁装置４１であって、弁座４９およびスプリング受け６０のうちの何れか一方を他方に向けて進退可能としてスプリング６１のセット荷重を調整可能とするとともに前記一方をボディ４２から取り外し可能とし、セット荷重を大きく設定したときは、入力ポート４３から定常圧よりも大きな圧力が入力したときに開弁して圧力を開放する安全弁として機能し、セット荷重を小さく設定したときは、入力ポート４３から定常圧が入力したときに開弁し続けて圧力を開放する流動弁として機能し、前記一方をボディ４２から取り外したときは、当該弁装置４１が排水ポートとして機能する。【選択図】図１
2005069385.tif 000002
【特許請求の範囲】
【請求項１】
入力ポート（４３）、出力ポート（４４）および前記両ポート（４３）（４４）を連通する内部流路（４５）を設けたボディ（４２）の内部に弁座（４９）を配置し、前記弁座（４９）に接離自在に対向する弁体（５８）とその背面側に配置したスプリング受け（６０）との間に前記弁体（５８）を前記弁座（４９）に向けて弾性付勢するスプリング（６１）を介装してなる弁装置（４１）であって、
前記弁座（４９）およびスプリング受け（６０）のうちの何れか一方を他方に向けて進退可能として前記スプリング（６１）のセット荷重を調整可能とするとともに前記一方を前記ボディ（４２）から取り外し可能とし、
前記セット荷重を比較的大きく設定したときは、前記入力ポート（４３）から定常圧よりも大きな圧力が入力したときに開弁して前記圧力を出力ポート（４４）側へ開放する安全弁として機能し、
前記セット荷重を比較的小さく設定したときは、前記入力ポート（４３）から定常圧が入力したときに開弁し続けて前記圧力を出力ポート（４４）側へ開放する流動弁として機能し、
前記一方を前記ボディ（４２）から取り外したときは、当該弁装置（４１）が排水ポートとして機能することを特徴とする弁装置。
【請求項２】
入力ポート（４３）、出力ポート（４４）および前記両ポート（４３）（４４）を連通する内部流路（４５）を設けたボディ（４２）の内部に弁座（４９）を配置し、前記弁座（４９）に接離自在に対向する弁体（５８）とその背面側に配置したスプリング受け（６０）との間に前記弁体（５８）を前記弁座（４９）に向けて弾性付勢するスプリング（６１）を介装してなる弁装置（４１）であって、
前記弁座（４９）およびスプリング受け（６０）のうちの何れか一方を他方に向けて進退可能として前記スプリング（６１）のセット荷重を調整可能とし、
前記セット荷重を比較的大きく設定したときは、前記入力ポート（４３）から定常圧よりも大きな圧力が入力したときに開弁して前記圧力を出力ポート（４４）側へ開放する安全弁として機能し、
前記セット荷重を比較的小さく設定したときは、前記入力ポート（４３）から定常圧が入力したときに開弁し続けて前記圧力を出力ポート（４４）側へ開放する流動弁として機能することを特徴とする弁装置。
【請求項３】
入力ポート（４３）、出力ポート（４４）および前記両ポート（４３）（４４）を連通する内部流路（４５）を設けたボディ（４２）の内部に弁座（４９）を配置し、前記弁座（４９）に接離自在に対向する弁体（５８）とその背面側に配置したスプリング受け（６０）との間に前記弁体（５８）を前記弁座（４９）に向けて弾性付勢するスプリング（６１）を介装してなる弁装置（４１）であって、
前記弁座（４９）およびスプリング受け（６０）のうちの何れか一方を前記ボディ（４２）から取り外し可能とし、
前記一方を前記ボティ（４２）内に設置したときは、前記入力ポート（４３）から定常圧よりも大きな圧力が入力したときに開弁して前記圧力を出力ポート（４４）側へ開放する安全弁として機能し、
前記一方を前記ボディ（４２）から取り外したときは、当該弁装置（４１）が排水ポートとして機能することを特徴とする弁装置。
【請求項４】
入力ポート（４３）、出力ポート（４４）および前記両ポート（４３）（４４）を連通する内部流路（４５）を設けたボディ（４２）の内部に弁座（４９）を配置し、前記弁座（４９）に接離自在に対向する弁体（５８）とその背面側に配置したスプリング受け（６０）との間に前記弁体（５８）を前記弁座（４９）に向けて弾性付勢するスプリング（６１）を介装してなる弁装置（４１）であって、
前記弁座（４９）およびスプリング受け（６０）のうちの何れか一方を前記ボディ（４２）から取り外し可能とし、
前記一方を前記ボティ（４２）内に設置したときは、前記入力ポート（４３）から定常圧が入力したときに開弁し続けて前記圧力を出力ポート（４４）側へ開放する流動弁として機能し、
前記一方を前記ボディ（４２）から取り外したときは、当該弁装置（４１）が排水ポートとして機能することを特徴とする弁装置。
【発明の詳細な説明】
【技術分野】
【０００１】
本発明は、弁装置に係り、更に詳しくは、安全弁、流動弁または排水ポート等として複数の機能を備えた弁装置に関するものである。
【背景技術】
【０００２】
例えば、近年、トイレの省スペース化として、洗浄水貯留タンクを備えないタンクレストイレが急速に普及しているが、このタンクレストイレをリフォーム等で古い家屋に設置する場合（老朽化により配管内が細くなっている）や高台の家屋に設置する場合には、水圧（流動圧）不足により、汚物排出機能が有効に作動しないことがある。この場合、そのままではタンクレストイレを設置することができないため、加圧ポンプを並設することにより水圧を高める必要がある（特許文献１参照）。
【０００３】
しかしながら、加圧ポンプは常時電力を消耗し、作動音も大きいため、狭いスペースのトイレで使用するには難点がある。
【０００４】
以上の点に鑑み、本願発明者は先に、加圧ポンプを設置することなくタンクレストイレの洗浄機能を高めることができるトイレ洗浄補助装置を提案している。
【０００５】
すなわち、このトイレ洗浄補助装置は、図６に示すように、洗浄水貯留タンクを備えず洗浄水供給側３から直接、洗浄水の供給を受けるタンクレストイレ１に用いられるトイレ洗浄補助装置１１であって、洗浄水供給配管４に接続されて洗浄水の供給を受ける給水口１２と、洗浄水中の異物を除去するストレーナ１３と、洗浄水の逆流を防止する逆止弁１４と、洗浄水の圧力をトイレ洗浄に適した２次圧に減圧する減圧部１５と、２次圧洗浄水を蓄える蓄圧部１６と、２次圧洗浄水の流通を遮断および開放する開閉弁１７と、２次圧洗浄水を放出する出水口１８とを有し、上記逆止弁１４のスプリングセット荷重を、洗浄水供給側３から比較的低圧の流動圧が作用したときには開弁せず比較的高圧の静水圧が作用したときのみ開弁するよう設定してなり、以下のように作動する。
【０００６】
すなわち、当該トイレ洗浄補助装置１１は通常、蓄圧部１６に洗浄水を蓄えた状態にあり、開閉弁１７が閉弁してこれを止水している。トイレ洗浄時には適宜信号を受けて開閉弁１７が開弁し、蓄圧部１６に蓄えていた洗浄水を出水口１８から一挙に放出する。開弁および放出は、トイレ本体がサイホン効果によって汚物を排出するジェット洗浄作動時とタイミングを合わせられる。放出後、開閉弁１７は閉弁する。蓄圧部１６に蓄えられていた洗浄水が放出されると、新たに洗浄水供給側３から当該装置１１へ洗浄水が供給される。洗浄水は給水口１２からストレーナ１３および逆止弁１４を経て減圧部１５に至り、ここでトイレ洗浄に適した２次圧に減圧され、蓄圧部１６に至る。このとき開閉弁１７は閉弁しているため、洗浄水は外部へ放出されることなく蓄圧部１６に蓄えられる。また、上記したように逆止弁１４のスプリングセット荷重を、洗浄水供給側３から比較的低圧の流動圧が作用したときには開弁せず比較的高圧の静水圧が作用したときのみ開弁するよう設定したために、上記蓄圧はトイレ本体の洗浄作動が終了するのを待って行なわれる（トイレ本体の洗浄が終了すると、洗浄水供給配管４側の圧力が比較的低圧の流動圧から比較的高圧の静水圧に切り替わるため、これによって逆止弁１４が開弁して蓄圧が開始される）。したがって、１次圧として当該装置１１に比較的高圧の静水圧が印加されるために、トイレ本体のジェット洗浄（サイホン効果）を作動させるのに必要十分な圧力（エネルギー）を蓄圧部１６に蓄えることができる。
【０００７】
上記構成のトイレ洗浄補助装置１１によれば、蓄圧部１６に蓄えた２次圧洗浄水をトイレ洗浄に利用するので、加圧ポンプを設置することなくタンクレストイレ１の洗浄機能を高めることができ、よって古い家屋や高台の家屋などでも配管を取り替えたり加圧ポンプを併設したりすることなく、タンクレストイレ１を設置することが可能とされている。
【０００８】
しかしながら、上記構成のトイレ洗浄補助装置１１には、以下の点で改良の余地がある。
【０００９】
すなわち、上記構成のトイレ洗浄補助装置１１を厳寒地などで使用することを考えると、その凍結防止対策として、装置全体に絶えず少量の水を流す必要がある（流動弁としての機能）。
【００１０】
また、上記装置１１を別荘地などで使用する場合には、その比較的長期間の不使用に備えて、装置全体を水抜きする必要がある（排水ポートとしての機能）。
【００１１】
また一般に、上記装置１１内に何らかの理由により異常高圧が発生する場合に備えて、この異常高圧を装置外部へ開放する手段を講じておく必要がある（安全弁としての機能）。
【００１２】
【特許文献１】特開２００３−１３８６２３号
【発明の開示】
【発明が解決しようとする課題】
【００１３】
本発明は以上の点に鑑みて、上記流動弁、排水ポートおよび安全弁としての３つの機能を備え、またはこのうち少なくとも２つの機能を備えた弁装置を提供することを目的とする。
【課題を解決するための手段】
【００１４】
上記目的を達成するため、本発明の請求項１による弁装置は、入力ポート、出力ポートおよび前記両ポートを連通する内部流路を設けたボディの内部に弁座を配置し、前記弁座に接離自在に対向する弁体とその背面側に配置したスプリング受けとの間に前記弁体を前記弁座に向けて弾性付勢するスプリングを介装してなる弁装置であって、前記弁座およびスプリング受けのうちの何れか一方を他方に向けて進退可能として前記スプリングのセット荷重を調整可能とするとともに前記一方を前記ボディから取り外し可能とし、前記セット荷重を比較的大きく設定したときは、前記入力ポートから定常圧よりも大きな圧力が入力したときに開弁して前記圧力を出力ポート側へ開放する安全弁として機能し、前記セット荷重を比較的小さく設定したときは、前記入力ポートから定常圧が入力したときに開弁し続けて前記圧力を出力ポート側へ開放する流動弁として機能し、前記一方を前記ボディから取り外したときは、当該弁装置が排水ポートとして機能することを特徴とするものである。
【００１５】
また、本発明の請求項２による弁装置は、入力ポート、出力ポートおよび前記両ポートを連通する内部流路を設けたボディの内部に弁座を配置し、前記弁座に接離自在に対向する弁体とその背面側に配置したスプリング受けとの間に前記弁体を前記弁座に向けて弾性付勢するスプリングを介装してなる弁装置であって、前記弁座およびスプリング受けのうちの何れか一方を他方に向けて進退可能として前記スプリングのセット荷重を調整可能とし、前記セット荷重を比較的大きく設定したときは、前記入力ポートから定常圧よりも大きな圧力が入力したときに開弁して前記圧力を出力ポート側へ開放する安全弁として機能し、前記セット荷重を比較的小さく設定したときは、前記入力ポートから定常圧が入力したときに開弁し続けて前記圧力を出力ポート側へ開放する流動弁として機能することを特徴とするものである。
【００１６】
また、本発明の請求項３による弁装置は、入力ポート、出力ポートおよび前記両ポートを連通する内部流路を設けたボディの内部に弁座を配置し、前記弁座に接離自在に対向する弁体とその背面側に配置したスプリング受けとの間に前記弁体を前記弁座に向けて弾性付勢するスプリングを介装してなる弁装置であって、前記弁座およびスプリング受けのうちの何れか一方を前記ボディから取り外し可能とし、前記一方を前記ボティ内に設置したときは、前記入力ポートから定常圧よりも大きな圧力が入力したときに開弁して前記圧力を出力ポート側へ開放する安全弁として機能し、前記一方を前記ボディから取り外したときは、当該弁装置が排水ポートとして機能することを特徴とするものである。
【００１７】
更にまた、本発明の請求項４による弁装置は、入力ポート、出力ポートおよび前記両ポートを連通する内部流路を設けたボディの内部に弁座を配置し、前記弁座に接離自在に対向する弁体とその背面側に配置したスプリング受けとの間に前記弁体を前記弁座に向けて弾性付勢するスプリングを介装してなる弁装置であって、前記弁座およびスプリング受けのうちの何れか一方を前記ボディから取り外し可能とし、前記一方を前記ボティ内に設置したときは、前記入力ポートから定常圧が入力したときに開弁し続けて前記圧力を出力ポート側へ開放する流動弁として機能し、前記一方を前記ボディから取り外したときは、当該弁装置が排水ポートとして機能することを特徴とするものである。
【００１８】
上記構成を備えた本発明の請求項１による弁装置においては、弁座およびスプリング受けのうちの何れか一方をボディ内で進退させてスプリングのセット荷重を比較的大きく設定すると、当該弁装置が、入力ポートから定常圧よりも大きな圧力が入力したときに開弁して前記圧力を出力ポート側へ開放する安全弁として機能する。また、スプリングのセット荷重を比較的小さく設定すると、当該弁装置が、入力ポートから定常圧が入力したときに開弁し続けて前記圧力を出力ポート側へ開放する流動弁として機能する。また、前記一方の部材をボディから取り外すと、当該弁装置が排水ポートとして機能する。したがって、１つの弁装置が安全弁、流動弁および排水ポートとしての３つの機能を併せ持つことになる。
【００１９】
また、上記構成を備えた本発明の請求項２による弁装置においては、弁座およびスプリング受けのうちの何れか一方をボディ内で進退させてスプリングのセット荷重を比較的大きく設定すると、当該弁装置が、入力ポートから定常圧よりも大きな圧力が入力したときに開弁して前記圧力を出力ポート側へ開放する安全弁として機能する。また、スプリングのセット荷重を比較的小さく設定すると、当該弁装置が、入力ポートから定常圧が入力したときに開弁し続けて前記圧力を出力ポート側へ開放する流動弁として機能する。したがって、１つの弁装置が安全弁および流動弁としての２つの機能を併せ持つことになる。
【００２０】
また、上記構成を備えた本発明の請求項３による弁装置においては、弁座およびスプリング受けのうちの何れか一方をボティ内に設置すると、当該弁装置が、入力ポートから定常圧よりも大きな圧力が入力したときに開弁して前記圧力を出力ポート側へ開放する安全弁として機能する。また、前記一方の部材をボディから取り外すと、当該弁装置が排水ポートとして機能する。したがって、１つの弁装置が安全弁および排水ポートとしての２つの機能を併せ持つことになる。
【００２１】
また、上記構成を備えた本発明の請求項４による弁装置においては、弁座およびスプリング受けのうちの何れか一方をボティ内に設置すると、当該弁装置が、入力ポートから定常圧が入力したときに開弁し続けて前記圧力を出力ポート側へ開放する流動弁として機能する。また、前記一方の部材をボディから取り外すと、当該弁装置が排水ポートとして機能する。したがって、１つの弁装置が流動弁および排水ポートとしての２つの機能を併せ持つことになる。
【００２２】
尚、上記構成を備えた本発明の請求項１ないし４による弁装置を上記図６のトイレ洗浄補助装置１１に組み付ける場合には、当該弁装置の入力ポートを上記洗浄補助装置１１の蓄圧部１６および開閉弁１７間（開閉弁１７の上流側）に連通させるとともに当該弁装置の出力ポートを上記洗浄補助装置１１の開閉弁１７および出水口１８間（開閉弁１７の下流側）に連通させ、当該弁装置が上記洗浄補助装置１１の開閉弁１７をバイパスするようにする。この場合、定常圧は洗浄水の２次圧である。但し、本発明の弁装置を組み付ける相手方は上記図６の洗浄補助装置１１に限定されるものではなく、本発明の弁装置は、安全弁、流動弁または排水ポートとしての機能を必要とする各種の圧力装置に組み付けられる。
【発明の効果】
【００２３】
本発明は、以下の効果を奏する。
【００２４】
すなわち、上記構成を備えた本発明の請求項１による弁装置によれば、１つの弁装置が安全弁、流動弁および排水ポートとしての３つの機能を併せ持っているので、当該弁装置を組み付ける各種圧力装置の異常圧開放、凍結防止および水抜きの作用を１つの弁装置で行なうことができる。また、その機能の切替えは、弁座およびスプリング受けの何れか一方をボディ内で移動させたりボディから取り外したりすることにより行なわれるため、切替えに際してはこの一方の部材一つを操作すれば良い。したがって、機能の切替え操作が容易で、かつ誤操作しにくいものである。
【００２５】
また、上記構成を備えた本発明の請求項２による弁装置によれば、１つの弁装置が安全弁および流動弁としての２つの機能を併せ持っているので、当該弁装置を組み付ける各種圧力装置の異常圧開放および凍結防止の作用を１つの弁装置で行なうことができる。また、その機能の切替えは、弁座およびスプリング受けの何れか一方をボディ内で移動させることにより行なわれるため、切替えに際してはこの一方の部材一つを操作すれば良い。したがって、機能の切替え操作が容易で、かつ誤操作しにくいものである。
【００２６】
また、上記構成を備えた本発明の請求項３による弁装置によれば、１つの弁装置が安全弁および排水ポートとしての２つの機能を併せ持っているので、当該弁装置を組み付ける各種圧力装置の異常圧開放および水抜きの作用を１つの弁装置で行なうことができる。また、その機能の切替えは、弁座およびスプリング受けの何れか一方をボディ内に設置したりボディから取り外したりすることにより行なわれるため、切替えに際してはこの一方の部材一つを操作すれば良い。したがって、機能の切替え操作が容易で、かつ誤操作しにくいものである。
【００２７】
また、上記構成を備えた本発明の請求項４による弁装置によれば、１つの弁装置が流動弁および排水ポートとしての２つの機能を併せ持っているので、当該弁装置を組み付ける各種圧力装置の凍結防止および水抜きの作用を１つの弁装置で行なうことができる。また、その機能の切替えは、弁座およびスプリング受けの何れか一方をボディ内に設置したりボディから取り外したりすることにより行なわれるため、切替えに際してはこの一方の部材一つを操作すれば良い。したがって、機能の切替え操作が容易で、かつ誤操作しにくいものである。
【発明を実施するための最良の形態】
【００２８】
機能の切替えに関する構成については、弁座およびスプリング受けのうち、前者の弁座をボディ内で移動させたりボディから取り外したりすることによって機能の切替えを行なう構成と、後者のスプリング受けをボディ内で移動させたりボディから取り外したりすることによって機能の切替えを行なう構成とが考えられる。前者の弁座を移動させたり取り外したりする場合には、弁座を設けた弁座部材を移動させたり取り外したりすることになる。また、後者のスプリング受けを移動させたり取り外したりする場合には、弁座は固定で良いため、弁座はこれをボディに一体成形しても良い。
【実施例】
【００２９】
つぎに、本発明の実施例を図面にしたがって説明する。
【００３０】
図１は、本発明の実施例に係る弁装置４１の断面を示しており、当該実施例に係る弁装置４１は、図２に回路構成を示すタンクレストイレ１の洗浄補助装置１１に組み付けられる。
【００３１】
タンクレストイレ１は、洗浄水貯留タンクを有しておらず、トイレ洗浄時に人が操作部（図示せず）を操作すると洗浄バルブ２が作動して、洗浄水供給側である水道配管３からタンクレストイレ１に直接、洗浄水が供給される。洗浄バルブ２には、リムを洗浄するリム洗浄機能を発揮するためのリム側出力部と、汚物を排出するジェット洗浄機能を発揮するためのジェット側出力部とが並設されており、洗浄バルブ２が作動すると、先ずリム側出力部が作動して渦流によりリム内面を洗浄し、引き続きジェット側出力部が作動して汚物を排出する。しかしながら古い家屋や高台の家屋などでは、後者のジェット側出力部の作動時に水圧が不足することがあり、これを補助するためにトイレ洗浄補助装置１１が設置されている。
【００３２】
トイレ洗浄補助装置１１は、その構成要素として、水道配管３から分岐した洗浄水供給配管４に接続されて洗浄水の供給を受ける給水口１２と、洗浄水中の異物を除去するストレーナ１３と、洗浄水の逆流を防止する逆止弁１４と、洗浄水の圧力をトイレ洗浄に適した２次圧（０．２ＭＰａ程度）に減圧する減圧部（減圧弁）１５と、２次圧洗浄水を蓄える蓄圧部（アキュムレータ）１６と、２次圧洗浄水の流通を遮断および開放する開閉弁（電磁弁）１７と、２次圧洗浄水を放出する出水口１８とを有しており、逆止弁１４のスプリングセット荷重を、水道配管３側から比較的低圧の流動圧が作用したときには開弁せず比較的高圧の静水圧が作用したときのみ開弁するよう設定されている（８００ｇ程度、従来対比約２５倍）。その作動は上記したとおりである。
【００３３】
上記トイレ洗浄補助装置１１に組み付けられる当該弁装置４１は、図１に示すように、先ずバルブボディ４２を有しており、このバルブボディ４２に、上記トイレ洗浄補助装置１１における開閉弁１７の上流側に接続される入力ポート４３と、同開閉弁１７の下流側に接続される出力ポート４４と、両ポート４３，４４を連通する内部流路４５とが設けられている。出力ポート４４には、流量制御用のオリフィス（固定オリフィス）４６が取り付けられているが、このオリフィス４６はこれを入力ポート４３側に取り付けても良い。
【００３４】
尚、上記開閉弁１７は、常時閉形（ノーマルクローズ（Ｎ／Ｃ））のパイロット式電磁弁よりなり、出力ボディ１９の流入口２０と流出口２１との間に図上右向きに設けられた弁座２２と、弁座２２に接離自在に着座するダイアフラム２４およびセンタープレート２５よりなる弁体２３と、弁蓋２６と、磁性体製プランジャ２７と、プランジャ２７の一端に取り付けられて弁体２３のパイロット孔３１周縁部に接離自在に当接するパイロット弁体（鉄心ゴム）２８と、プランジャ２７およびパイロット弁体２８を閉弁方向に向けて弾性付勢するスプリング２９と、プランジャ２７を開弁方向に向けて吸引するソレノイド部３０とを有しており、弁体２３には複数のパイロット孔３１，３２が設けられている。この開閉弁１７は、スプリング２９の弾性により常時閉弁しており、通電によりソレノイド部３０が励磁されるとその磁力により開弁作動する。当該弁装置４１の入力ポート４３は上記流入口２０側に連通し、出力ポート４４は上記流出口２１側に連通している。
【００３５】
上記ボディ４２は筒状に形成されており、その一端４２ａは図上右方向へ向けて長く延長されている。これは、当該弁装置４１の機能切替え操作をトイレ洗浄補助装置１１の外カバー（図示せず）の外側から行なうためである。
【００３６】
ボディ４２の一端４２ａから内部へ向けて、先端に弁座４９を設けた弁座部材としての流動コック４７が差し込まれている。この流動コック４７は、先端に弁座４９を設けた弁蓋部４８と、その後端側に一体成形された連結部５０と、その後端側に一体成形された取付部５１とを一体に有しており、取付部５１の更に後端側にフック状の操作部（取手部）５２が取り付けられて、ボディ４２の外側に突出している。
【００３７】
弁蓋部４８の先端に設けられた弁座４９は、ボディ４２内において両ポート４３，４４の中間位置に配置されており、弁蓋部４８は入力ポート４３の内側に配置されている。入力ポート４３から流入した水が弁座４９内側の弁孔５３から出力ポート４４側へ流れるよう弁蓋部４８には、縦穴５５および横穴５６の組み合わせよりなる連通路５４が形成されており、水が弁蓋部４８の外周から漏れることがないよう弁蓋部４８の外周には、Ｏリング等のパッキンよりなる一対のシール５７が取り付けられている。
【００３８】
流動コック４７は、その中心軸線に沿ってボディ４２内でスライド可能とされており、かつ中心軸線を中心として回転可能とされている。また、ボディ４２から挿抜自在に引き抜くことも可能とされている。これは、この流動コック４７を当該弁装置４１の機能切替え操作に用いるからであるが、その詳細については後述する。
【００３９】
上記ボディ４２の内部に、弁座４９に接離自在に着座する弁体５８が設けられており、ボディ４２の他端４２ｂ内周に雌ネジ５９が切られてスプリング受けとしての調圧ネジ６０がねじ込まれており、この弁体５８と調圧ネジ６０との間に弁体５８を弁座４９に向けて弾性付勢するコイル状のスプリング６１が介装されている。弁体５８は、弁座４９に接離自在に着座する弁体ゴム（止水ゴム）６２と、この弁体ゴム６２を保持する弁体ピストン（止水ピストン）６３との組み合わせよりなり、ボディ４２の内面に対して摺動する弁体ピストン６３の外周を水が弁孔５３側から出力ポート４４側へと流れるよう弁体ピストン６３の外周面には、溝状の凹部６４が軸線方向に沿って形成されている。調圧ネジ６０はそのねじ込み量を調整することにより、スプリング６１の初期的なセット荷重を調整する（但し、後述する当該弁装置４１の機能切替え操作時には、この調圧ネジ６０は操作しない）。また、水が調圧ネジ６０の外周から漏れることがないよう調圧ネジ６０の外周には、Ｏリング等のパッキンよりなるシール６５が取り付けられている。
【００４０】
当該弁装置４１は、上記トイレ洗浄補助装置１１の内部に何らかの理由によって異常高圧が発生したときにこの異常高圧を装置外部へ開放する安全弁として機能する。また、上記トイレ洗浄補助装置１１を厳寒地などで使用する場合に装置全体に絶えず少量の水を流すことにより装置１１の凍結を防止する流動弁として機能する。また、上記トイレ洗浄補助装置１１を別荘地などで使用する場合にその長期間の不使用に備えて装置全体を水抜きする排水ポートとして機能する。したがって、この３つの機能を選択的に発揮するよう当該弁装置４１は更に、以下のように構成されている。
【００４１】
（１）安全弁機能１１Ａ
上記トイレ洗浄補助装置１１の開閉弁１７が閉弁しているとき、当該弁装置４１の弁体５８には、開閉弁１７の上流側から入力ポート４３、連通路５４および弁孔５３を介して絶えずトイレ洗浄補助装置１１の定常圧である洗浄水の２次圧が作用している。したがって、当該弁装置４１に安全弁としての機能を発揮させるには、この２次圧作用時に当該弁装置４１は閉弁していなければならず、定常圧である２次圧よりも大きな圧力が作用したときのみ当該弁装置４１は開弁しなければならない。このためには当該弁装置４１の開弁圧力を比較的大きく設定する必要があり、これにはスプリング６１のセット荷重を比較的大きく設定すればよく、このため当該弁装置４１ではこの場合、図１に示したように、流動コック４７をボディ４２に比較的深く差し込んだ状態で保持する。このように流動コック４７をボディ４２に対して比較的深く差し込むと、流動コック４７先端の弁座４９が弁体５８を押圧し、一方、調圧ネジ６０は動かないので、スプリング６１が押し縮められ、その結果としてスプリング６１のセット荷重が比較的大きく設定され、開弁圧力も比較的大きく設定される。したがってこのとき、
スプリング６１のセット荷重＞２次圧が弁体５８を押す力
となるようにスプリング６１のセット荷重を設定することにより、上記トイレ洗浄補助装置１１の内部に何らかの理由によって異常高圧が発生したときにこれを装置外部へ開放する安全弁としての機能が発揮される。以下、この安全弁として機能するための流動コック４７の軸線方向位置を第一ポジションという。
【００４２】
（２）流動弁機能１１Ｂ
上記したようにトイレ洗浄補助装置１１の開閉弁１７が閉弁しているとき、当該弁装置４１の弁体５８には、開閉弁１７の上流側から入力ポート４３、連通路５４および弁孔５３を介して絶えずトイレ洗浄補助装置１１の定常圧である洗浄水の２次圧が作用している。したがって、当該弁装置４１に流動弁としての機能を発揮させるには、この２次圧作用時に当該弁装置４１は開弁し続けなければならない。このためには当該弁装置４１の開弁圧力を比較的小さく設定する必要があり、これにはスプリング６１のセット荷重を比較的小さく設定すればよく、このため当該弁装置４１ではこの場合、図３に示すように、流動コック４７をボディ４２に比較的浅く差し込んだ状態で保持する。このように流動コック４７をボディ４２に対して比較的浅く差し込むと、上記安全弁としての作動時の場合と比較して、流動コック４７先端の弁座４９が弁体５８を押圧するストロークが減少し、この分、スプリング６１のセット長が長くなるので、その結果としてスプリング６１のセット荷重が比較的小さく設定され、開弁圧力も比較的小さく設定される。したがってこのとき、
スプリング６１のセット荷重＜２次圧が弁体５８を押す力
となるようにスプリング６１のセット荷重を設定することにより、上記トイレ洗浄補助装置１１を厳寒地などで使用する場合に装置全体に絶えず少量の水を流すことにより装置１１の凍結を防止する流動弁としての機能が発揮される。以下、この流動弁として機能するための流動コック４７の軸線方向位置を第二ポジションという。
【００４３】
（３）排水ポート機能１１Ｃ
当該弁装置４１に排水ポートとしての機能を発揮させる場合には、図４に示すように、流動コック４７をボディ４２から引き抜く。すると、開閉弁１７の上流側から入力ポート４３を介してボディ４２の一端４２ａ側開口へと水が排出されるため、これにより上記トイレ洗浄補助装置１１を別荘地などで使用する場合にその長期間の不使用に備えて装置全体を水抜きする排水ポートとしての機能が発揮される。
【００４４】
上記機能の切替え操作については、エンドユーザーが切替え操作を行なうことを考えると、可及的にこれを容易化することが望ましい。したがって当該弁装置４１では、上記機能の切替え操作が以下の構造とされている。
【００４５】
すなわち、図１に示したように、ボディ４２の一端４２ａに切欠状の係合部６６が設けられており、これに対応して流動コック４７の取付部５１の外周に、この切欠状の係合部６６に係合する突起状の係合部６７が設けられている。切欠状の係合部６６は、流動コック４７を第一ポジションで保持し、第二ポジションで保持し、更にボディ４２から引き抜くことができるよう階段状に形成され、かつその一端はボディ４２の端部４２ａに開口しており、突起状の係合部６７はこの切欠状の係合部６６の階段形状に沿って移動可能とされている。
【００４６】
より詳細には、切欠状の係合部６６には、流動コック４７を第一ポジションで保持するときに突起状の係合部６７を位置せしめる第一ポジション位置決め部６６ａと、流動コック４７を第二ポジションで保持するときに突起状の係合部６７を位置せしめる第二ポジション位置決め部６６ｂと、流動コック４７をボディ４２に対して抜き差しするときに突起状の係合部６７を通過させる軸線方向ガイド部６６ｃとがボディ４２の円周方向にこの順序に並んで設けられている。上記したように流動弁としての作動時は安全弁としての作動時よりもスプリング６１のセット荷重が比較的小さく設定されるので、第二ポジション位置決め部６６ｂは第一ポジション位置決め部６６ａよりもボディ６２の軸線方向一端６２ａ側に配置されている。軸線方向ガイド部６６ｃは、突起状の係合部６７を抜き差しできるようボディ６２の一端６２ａに開口している。また、第一ポジション位置決め部６６ａと第二ポジション位置決め部６６ｂ、第二ポジション位置決め部６６ｂと軸線方向ストレート部６６ｃはそれぞれ、機能切替え時に突起状の係合部６７を通過させる円周方向ガイド部６６ｄ，６６ｅを介して連通している。したがって以上により、切欠状の係合部６６は階段状に形成されている。
【００４７】
切替え操作は、以下のとおりとなる。
【００４８】
安全弁機能を流動弁機能に切り替えるには、第一ポジションにある流動コック４７を第二ポジションに移動させるので、切替え操作としては、流動コック４７を回転および軸線方向に移動して、第一ポジション位置決め部６６ａにある突起状の係合部６７を第二ポジション位置決め部６６ｂへと移動させる（図１→図３）。
【００４９】
流動弁機能を排水ポート機能に切り替えるには、第二ポジションにある流動コック４７をボディ４２から引き抜くので、切替え操作としては、流動コック４７を回転および軸線方向に移動して、第二ポジション位置決め部６６ｂにある突起状の係合部６７を軸線方向ガイド部６６ｃから引き抜く（図３→図４）。
【００５０】
また反対に、排水ポート機能を流動弁機能に切り替えるには、ボディ４２から引き抜かれていた流動コック４７をボディ４２に差し込んで第二ポジションに位置させるので、切替え操作としては、流動コック４７を軸線方向に移動および回転して、突起状の係合部６７を軸線方向ガイド部６６ｃを通過させて第二ポジション位置決め部６６ｂへと移動させる（図４→図３）。
【００５１】
また、流動弁機能を安全弁機能に切り替えるには、第二ポジションにある流動コック４７を第一ポジションに移動させるので、切替え操作としては、流動コック４７を軸線方向に移動および回転して、第二ポジション位置決め部６６ｂにある突起状の係合部６７を第一ポジション位置決め部６６ａへと移動させる（図３→図１）。
【００５２】
流動コック４７の移動および回転は、ユーザー等が操作部５２を掴んで手動でこれを行なう。流動コック４７をボディ４２から引き抜く方向へ移動させるときにスプリング６１の弾性が作用していれば、流動コック４７はスプリング６１によって押圧される。反対に流動コック４７をボディ４２に差し込む方向へ移動させるときにはスプリング６１を押し縮めることになる。
【００５３】
以上のように、切替え操作は、流動コック４７一つを操作することにより行なわれる。したがって、エンドユーザーにとっても切替え操作が容易で、かつ誤操作しにくいものである。
【００５４】
尚、上記実施例では、流動コック４７の位置を上記したような回転・クリックで制御する構造としたが、他の位置制御構造（例えばネジ込みによる位置制御構造）としても良い。
【００５５】
また、上記実施例では、機能の切替えを弁座側の部品を移動させたり取り外したりすることにより行なうこととしたが、スプリング受け側の部品を移動させたり取り外したりすることにより行なうこととしても良い。
【００５６】
図５は、その一例を示すもので、ボディ４２に対する調圧ネジ６０のねじ込み量を調整したり、ボディ４２から調圧ネジ６０を取り外したりすることにより、安全弁、調圧弁、排水ポートとしての機能を切り替える。この図５の例では、流動コック４７は必要ないので設けられておらず、弁座４９はボディ４２に直接設けられている。
【００５７】
また、図１の例および図５の例に共通して、弁装置４１に排水ポート機能を発揮させるべく流動コック４７や調圧ネジ６０をボディ４２から取り外して弁機能を暫時停止させたときに、弁体５８やスプリング６１等の弁構成小部品がバラバラに分解されると、これら部品を喪失し易いため、エンドユーザーにとっては特に厄介なことになる。この点に関して、図１の例は、流動コック４７を取り外しても弁体５８やスプリング６１等の小部品がボディ４２内の残されるために問題はないが、図５の例では、調圧ネジ６０を取り外す構造であるために、弁体５８やスプリング６１等の小部品がバラバラになり易い。そこで、図５の例では、図示するように弁体５８やスプリング６１等の弁構成小部品を覆うバルブホルダー６８を設けてこれを調圧ネジ６０に固定し、これらを一体で扱う構成とした。このようにすれば小部品を喪失することがなく、また着脱作業（機能切替え作業）が容易化されることになる。
【産業上の利用可能性】
【００５８】
本発明の弁装置は、上記したようにタンクレストイレの洗浄補助装置に有効に利用されるが、これに限定されるものではなく、安全弁、流動弁または排水ポートとしての機能を必要とする各種の圧力装置に広く利用することが可能である。
【図面の簡単な説明】
【００５９】
【図１】本発明の実施例に係る弁装置の断面図
【図２】同弁装置を組み付けるトイレ洗浄補助装置の回路構成説明図
【図３】同弁装置の作動状態を示す断面図
【図４】同弁装置の作動状態を示す断面図
【図５】本発明の他の実施例に係る弁装置の断面図
【図６】先行技術に係るトイレ洗浄補助装置の回路構成説明図
【符号の説明】
【００６０】
１  タンクレストイレ
２  洗浄バルブ
３  水道配管（洗浄水供給側）
４  洗浄水供給配管
１１  トイレ洗浄補助装置
１２  給水口
１３  ストレーナ
１４  逆止弁
１５  減圧部
１６  蓄圧部
１７  開閉弁
１８  出水口
１９  出力ボディ
２０  流入口
２１  流出口
２２  弁座
２３，５８  弁体
２４  ダイアフラム
２５  センタープレート
２６  弁蓋
２７  プランジャ
２８  パイロット弁体
２９，６１  スプリング
３０  ソレノイド部
３１，３２  パイロット孔
４１  弁装置
４２  ボディ
４２ａ  一端
４２ｂ  他端
４３  入力ポート
４４  出力ポート
４５  内部流路
４６  オリフィス
４７  流動コック
４８  弁蓋部
４９  弁座
５０  連結部
５１  取付部
５２  操作部
５３  弁孔
５４  連通路
５５  縦穴
５６  横穴
５７，６５  シール
５９  雌ネジ
６０  調圧ネジ（スプリング受け）
６２  弁体ゴム
６３  弁体ピストン
６４  凹部
６６，６７  係合部
６６ａ  第一ポジション位置決め部
６６ｂ  第二ポジション位置決め部
６６ｃ  軸線方向ガイド部
６６ｄ，６６ｅ  円周方向ガイド部
６８  バルブホルダー
【図１】
2005069385.tif 000003
【図２】
2005069385.tif 000004
【図３】
2005069385.tif 000005
【図４】
2005069385.tif 000006
【図５】
2005069385.tif 000007
【図６】
2005069385.tif 000008